(57)【要約】【課題】車両に設置されたディスプレイに表示されている情報を、車両に乗車している複数のユーザで共有するための新たな方法を提供する。【解決手段】本発明によれば、複数のディスプレイ（第１のディスプレイ１１及び第２のディスプレイ１２）と、複数のディスプレイに情報を表示させる表示制御部１３と、を有し、表示制御部１３は、所定条件を満たすと、複数のディスプレイのうちの１つのディスプレイに表示させている情報の一部又は全部を他のディスプレイに表示させる車載システム１０が提供される。【選択図】図１
2018200200.tif 000002
【特許請求の範囲】
【請求項１】
複数のディスプレイと、
前記複数のディスプレイに情報を表示させる表示制御部と、
を有し、
前記表示制御部は、所定条件を満たすと、前記複数のディスプレイのうちの１つのディスプレイに表示させている情報の一部又は全部を他の前記ディスプレイに表示させる車載システム。
【請求項２】
請求項１に記載の車載システムにおいて、
前記表示制御部は、前記所定条件を満たすと、前記１つのディスプレイに表示させている情報の一部又は全部を前記他のディスプレイに表示させるとともに、前記他のディスプレイに表示させている情報の一部又は全部を前記１つのディスプレイに表示させる車載システム。
【請求項３】
請求項１又は２に記載の車載システムにおいて、
前記所定条件は、ユーザによる指示入力を検出したこと、又は、自車が所定の状態になったことである車載システム。
【請求項４】
請求項３に記載の車載システムにおいて、
前記所定の状態は、自動運転中、手動運転中、停車中、走行中、基準値以上の速度で走行中、及び、基準値未満の速度で走行中のうちの少なくとも１つを含む車載システム。
【請求項５】
請求項４に記載の車載システムにおいて、
前記複数のディスプレイは、第１のディスプレイと、前記第１のディスプレイとは異なる位置に設置される第２のディスプレイとを有し、
前記所定条件は、自車が自動運転中、停車中、及び、基準値未満の速度で走行中のうちの少なくとも１つの状態になったことであり、
前記表示制御部は、前記所定条件を満たすと、前記第２のディスプレイに表示させている情報の一部又は全部を前記第１のディスプレイに表示させる車載システム。
【請求項６】
請求項１から５のいずれか１項に記載の車載システムにおいて、
前記複数のディスプレイは、第１のディスプレイと、前記第１のディスプレイとは異なる位置に設置される第２のディスプレイとを有し、
前記表示制御部は、自車が自動運転中、停車中、及び、基準値未満の速度で走行中のうちの少なくとも１つの状態になっている間のみ、前記第２のディスプレイに表示させている情報の一部又は全部を前記第１のディスプレイに表示させる車載システム。
【請求項７】
請求項１から６のいずれか１項に記載の車載システムにおいて、
前記複数のディスプレイは、第１のディスプレイと、前記第１のディスプレイとは異なる位置に設置される第２のディスプレイとを有し、
前記表示制御部は、
自車の状態を示す状態情報を前記第１のディスプレイに表示させ、
前記第２のディスプレイに表示させている情報の一部又は全部を前記第１のディスプレイに表示させる際、前記状態情報と前記第２のディスプレイに表示させている情報の一部又は全部を並べて表示させる車載システム。
【請求項８】
請求項１から７のいずれか１項に記載の車載システムにおいて、
前記１つのディスプレイに表示させている情報のうちのユーザにより指定された一部又は全部を、前記他のディスプレイに表示させる車載システム。
【請求項９】
請求項１から８のいずれか１項に記載の車載システムにおいて、
前記１つのディスプレイに表示させている情報の一部又は全部を、前記他のディスプレイ用に編集した編集後情報を生成する編集部を有し、
前記表示制御部は、前記所定条件を満たすと、前記編集後情報を前記他のディスプレイに表示させる車載システム。
【請求項１０】
請求項１から９のいずれか１項に記載の車載システムにおいて、
前記表示制御部は、共通の情報を前記１つのディスプレイ及び前記他のディスプレイに表示させており、かつ、前記共通の情報の表示範囲が前記１つのディスプレイ及び前記他のディスプレイにおいて互いに異なる場合、前記１つのディスプレイ及び前記他のディスプレイの少なくとも一方に、他方のディスプレイに表示させている情報の表示範囲を表示する車載システム。
【請求項１１】
請求項１から１０のいずれか１項に記載の車載システムにおいて、
前記表示制御部は、共通の情報を前記１つのディスプレイ及び前記他のディスプレイに表示させており、かつ、前記１つのディスプレイ及び前記他のディスプレイの一方において前記共通の情報の一部を指定するユーザ入力を受付けた場合、指定された一部の情報を他方のディスプレイで表示する車載システム。
【請求項１２】
複数のディスプレイを有する車載システムのコンピュータが、前記複数のディスプレイに情報を表示させる表示制御工程を実行し、
前記表示制御工程では、所定条件を満たすと、前記複数のディスプレイのうちの１つのディスプレイに表示させている情報の一部又は全部を他の前記ディスプレイに表示させる車載システムの動作方法。
【請求項１３】
複数のディスプレイを有する車載システムのコンピュータを、前記複数のディスプレイに情報を表示させる表示制御手段として機能させ、
前記表示制御手段は、所定条件を満たすと、前記複数のディスプレイのうちの１つのディスプレイに表示させている情報の一部又は全部を他の前記ディスプレイに表示させるプログラム。
【発明の詳細な説明】
【技術分野】
【０００１】
本発明は、車載システム、車載システムの動作方法及びプログラムに関する。
【背景技術】
【０００２】
特許文献１に、車両に搭載される車両用プロセス制御システムが開示されている。当該車両用プロセス制御システムは、横方向に延びた長尺型のディスプレイを有する。当該ディスプレイは、例えば自動車の前側座席の前方に設置される。当該ディスプレイは、全体が１つの液晶パネルで構成されており、全ての領域で任意の表示が可能となっている。
【０００３】
当該ディスプレイにおける運転席の前方の領域には、例えば、速度計やタコメータ等の状態を表示する画面が表示される。当該ディスプレイにおける助手席の前方の領域には、例えばウェブ検索の結果等が表示される。当該ディスプレイにおける運転席の前方の領域と助手席の前方の領域の間に位置するセンタ領域には、例えば、テレビの画面が表示される。
【０００４】
助手席に座ったユーザは、運転席の前方の領域、助手席の前方の領域及びセンタ領域いずれに表示されている情報も視認できる。一方、運転席に座ったユーザは、偏光処理により、運転席の前方の領域に表示されている情報を視認でき、助手席の前方の領域に表示されている情報を視認できず、かつ、停車時のみセンタ領域に表示されている情報を視認できる。
【先行技術文献】
【特許文献】
【０００５】
【特許文献１】特開２０１２−１１７８４６号公報
【発明の概要】
【発明が解決しようとする課題】
【０００６】
車両に設置されたディスプレイに表示されている情報を、車両に乗車している複数のユーザで共有したい場合がある。例えば車両に搭載された１台のディスプレイに表示された情報を複数のユーザで視認することもできる。しかし、車両内のスペースは限られるため、１台のディスプレイを複数のユーザで覗き込んで視認することにおいては、快適性や視認性等の問題が生じ得る。
【０００７】
本発明の課題の一例は、車両に設置されたディスプレイに表示されている情報を、車両に乗車している複数のユーザで共有するための新たな方法を提供することである。
【課題を解決するための手段】
【０００８】
請求項１に記載の発明は、
複数のディスプレイと、
前記複数のディスプレイに情報を表示させる表示制御部と、
を有し、
前記表示制御部は、所定条件を満たすと、前記複数のディスプレイのうちの１つのディスプレイに表示させている情報の一部又は全部を他の前記ディスプレイに表示させる車載システムである。
【０００９】
請求項１２に記載の発明は、
複数のディスプレイを有する車載システムのコンピュータが、前記複数のディスプレイに情報を表示させる表示制御工程を実行し、
前記表示制御工程では、所定条件を満たすと、前記複数のディスプレイのうちの１つのディスプレイに表示させている情報の一部又は全部を他の前記ディスプレイに表示させる車載システムの動作方法である。
【００１０】
請求項１３に記載の発明は、
複数のディスプレイを有する車載システムのコンピュータを、前記複数のディスプレイに情報を表示させる表示制御手段として機能させ、
前記表示制御手段は、所定条件を満たすと、前記複数のディスプレイのうちの１つのディスプレイに表示させている情報の一部又は全部を他の前記ディスプレイに表示させるプログラムである。
【図面の簡単な説明】
【００１１】
【図１】本実施形態の車載システムの機能ブロック図の一例を示す図である。
【図２】本実施形態の車載システムの機能ブロック図の一例を示す図である。
【図３】本実施形態の車載システムのハードウエア構成の一例を示す図である。
【図４】ディスプレイの設置例を示す模式図である。
【図５】本実施形態の車載システムの処理の流れの一例を示すフローチャートである。
【図６】第１のディスプレイの表示例を説明するための図である。
【図７】第１のディスプレイの表示例を説明するための図である。
【図８】第１のディスプレイの表示例を説明するための図である。
【図９】本実施形態の車載システムの機能ブロック図の一例を示す図である。
【図１０】第１のディスプレイの表示例を説明するための図である。
【図１１】第２のディスプレイの表示例を説明するための図である。
【図１２】第２のディスプレイの表示例を説明するための図である。
【図１３】第１のディスプレイの表示例を説明するための図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
＜第１の実施形態＞
まず、本実施形態の車載システムの全体像を簡単に説明する。車載システムは、複数のディスプレイと、複数のディスプレイに情報を表示させる表示制御部とを有する。そして、表示制御部は、所定条件を満たすと、複数のディスプレイのうちの１つのディスプレイに表示させている情報の一部又は全部である共有対象情報を他のディスプレイに表示させる。所定条件は、ユーザによる指示入力を検出したことであってもよいし、自車が所定の状態になったことであってもよい。
【００１４】
共有対象情報を複数のディスプレイに表示することができる本実施形態の車載システムによれば、複数のユーザは、複数のディスプレイに表示された共有対象情報を視認することで、当該情報を共有できる。なお、共有対象情報は複数のディスプレイに表示されるので、各ユーザは、複数のディスプレイのうちの自分の乗車位置からの視認に適したものを視認すればよい。このため、複数のユーザは、ディスプレイに表示されている共有対象情報を快適かつ視認性が優れた状態で視認し、当該情報を共有できる。
【００１５】
次に、本実施形態の車載システムの構成を詳細に説明する。車載システムは、車両に搭載されるシステムである。車載システムは、例えばＥＣＵ（Electronic Control Unit）である。なお、車載システムを搭載した車両は、自動運転機能及び手動運転機能の両方を備え、任意の手段でそれらが切り換えられてもよい。
【００１６】
図１に、本実施形態の車載システム１０の機能ブロック図の一例を示す。図示するように、車載システム１０は、第１のディスプレイ１１と、第２のディスプレイ１２と、表示制御部１３とを有する。
【００１７】
図２に、本実施形態の車載システム１０の機能ブロック図の他の一例を示す。当該例では、図示するように、車載システム１０は、第１のディスプレイ１１と、第２のディスプレイ１２と、表示制御部１３と、第１の入力受付部１４と、第２の入力受付部１５とを有する。
【００１８】
まず、これら機能部を実現する車載システム１０のハードウエア構成の一例を説明する。各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）、ＳＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１９】
図３は、本実施形態の車載システム１０のハードウエア構成を例示するブロック図である。図３に示すように、車載システム１０は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００２０】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵやＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（キーボード、マウス、マイク、タッチパネルディスプレイ装置、タッチセンサー、ジェスチャーインターフェース等）、外部装置、外部サーバ、外部センサ等から情報を取得するためのインターフェイスや、出力装置（ディスプレイ装置、スピーカ、ランプ、振動発生装置等）、外部装置、外部サーバ等に情報を出力するためのインターフェイスなどを含む。プロセッサ１Ａは、各モジュールに指令を出し、それらの演算結果をもとに演算を行うことができる。
【００２１】
次に、図１及び図２に示す各機能部の機能を詳細に説明する。
【００２２】
第１のディスプレイ１１は、主として運転席に座ったユーザにより視認される。第１のディスプレイ１１は、例えば運転席の前に設置される。また、第１のディスプレイ１１は、運転席の前に設置されるものだけでなく、運転席の前方の領域と助手席の前方の領域の間に位置するセンタ領域に設置されたディスプレイも、第１のディスプレイ１１に含めてもよい。第２のディスプレイ１２は、主として運転席以外の席（助手席、後部座席等）に座ったユーザにより視認される。第２のディスプレイは、１つであってもよいし、複数であってもよい。第２のディスプレイ１２は、例えば運転席の前に設置された第１のディスプレイ１１とは異なる位置に設置される。
【００２３】
ここで、図４を用いて、第１のディスプレイ１１及び第２のディスプレイ１２の設置位置の一例を説明する。（１）は運転席、（２）は助手席、（３）及び（４）は後部座席である。
【００２４】
図示する例では、第１のディスプレイ１１は、運転席（１）の前に設置されている。第２のディスプレイ１２−１は、運転席（１）と助手席（２）の中心前方に設置されている。第２のディスプレイ１２−２は、運転席（１）及び助手席（２）よりも後方であって、後部座席（３）及び後部座席（４）の中心前方に設置されている。各ディスプレイの車内での取り付け方法や、ディスプレイの大きさ、形状等は設計的事項である。
【００２５】
なお、図４で示した例はあくまで一例であり、これに限定されない。例えば、３つの第２のディスプレイ１２各々を、助手席（２）、後部座席（３）及び後部座席（４）各々の前に設置してもよい。また、乗車定員人数に応じて、設置する第２のディスプレイ１２の数を増減してもよい。
【００２６】
図２に戻り、第１の入力受付部１４は、第１のディスプレイ１１に対応して設けられた入力装置を介して、ユーザ入力を受付ける。第２の入力受付部１５は、第２のディスプレイ１２に対応して設けられた入力装置を介して、ユーザ入力を受付ける。第２のディスプレイ１２が複数設置されている場合、複数の第２のディスプレイ１２各々に対応して入力装置が設けられてもよい。
【００２７】
入力装置は、物理ボタン、タッチパネルディスプレイ装置、タッチセンサー、ジェスチャーインターフェース、マイク等が例示されるがこれらに限定されない。入力装置がタッチパネルディスプレイ装置である場合、入力装置は第１のディスプレイ１１や第２のディスプレイ１２と一体となって構成される。
【００２８】
図１及び図２に示す表示制御部１３は、第１のディスプレイ１１及び第２のディスプレイ１２に情報を表示させる。表示制御部１３は、第１の入力受付部１４や第２の入力受付部１５を介したユーザ入力に応じて、第１のディスプレイ１１及び第２のディスプレイ１２の表示内容を切り替えることができる。
【００２９】
まず、表示制御部１３が第１のディスプレイ１１及び第２のディスプレイ１２に表示させる情報の一例を説明する。表示制御部１３は、例えば、自車の状態（速度、エンジンの回転数、ガソリン残量、電池残量等）を示す状態情報を第１のディスプレイ１１又は第２のディスプレイ１２に表示することができる。状態情報を取得する手段は、従来技術に準じて実現できる。
【００３０】
その他、表示制御部１３は、地図、ナビゲーション画面、テレビコンテンツ、Ｗｅｂコンテンツ、録画コンテンツ（ＤＶＤ、スマートフォン等の記憶媒体に記憶されたコンテンツ）、携帯端末（スマートフォン、タブレット、携帯電話、携帯ゲーム、カメラ等）の画面等を第１のディスプレイ１１や第２のディスプレイ１２に表示することができる。この場合、車載システム１０は、テレビ放送波を受信してディスプレイに出力する手段や、インターネット等の通信ネットワークに接続し、通信ネットワーク上の情報を取得してディスプレイに出力する手段や、録画コンテンツを再生する手段や、携帯端末と接続し、携帯端末から取得した情報をディスプレイに出力する手段等を備える。ナビゲーション画面は、目的地までの案内を行うナビシステムにより実現される画面であり、目的地等の指定を受付ける画面や、地図を用いて目的地までの道順を示す画面等を含む。これらは従来技術に準じて実現できる。
【００３１】
次に、表示制御部１３により実現される特徴的な処理を説明する。表示制御部１３は、所定条件を満たすと、第１のディスプレイ１１及び第２のディスプレイ１２を含む複数のディスプレイのうちの１つのディスプレイに表示させている情報の一部又は全部である共有対象情報を他のディスプレイに表示させる。他のディスプレイが複数存在する場合、表示制御部１３は、他のディスプレイの全てに共有対象情報を表示させてもよいし、ユーザにより指定された一部のディスプレイのみに共有対象情報を表示させてもよい。
【００３２】
以下、所定条件を満たす前から共有対象情報が表示されているディスプレイを「発信元ディスプレイ」といい、所定条件を満たした場合に共有対象情報が表示されるディスプレイを「発信先ディスプレイ」とする。
【００３３】
表示制御部１３は、発信元ディスプレイへの共有対象情報の表示を実現するデータ（地図データ、映像データ、音声データ、ＨＴＭＬデータ等）と同じデータを用いて、発信先ディスプレイへの共有対象情報の表示を実現してもよい。その他、表示制御部１３は、発信元ディスプレイに表示されている共有対象情報をキャプチャして画像ファイルを生成し、当該画像ファイルを利用して発信先ディスプレイへの共有対象情報の表示を実現してもよい。
【００３４】
発信先ディスプレイへの共有対象情報の表示に伴い、発信元ディスプレイにおける共有対象情報の表示は終了（すなわち、非表示となる）してもよいし、そのまま維持されてもよい。
【００３５】
表示制御部１３は、例えば、所定条件を満たすと、第１のディスプレイ１１に表示させている情報の一部又は全部である第１の共有対象情報を、第２のディスプレイ１２に表示させてもよい。なお、第２のディスプレイ１２が複数存在する場合、表示制御部１３は、全ての第２のディスプレイ１２に第１の共有対象情報を表示させてもよいし、一部の第２のディスプレイ１２のみに第１の共有対象情報を表示させてもよい。第２のディスプレイ１２への第１の共有対象情報の表示に伴い、第１のディスプレイ１１における第１の共有対象情報の表示は終了（すなわち、非表示となる）してもよいし、そのまま維持されてもよい。
【００３６】
その他、表示制御部１３は、所定条件を満たすと、第２のディスプレイ１２に表示させている情報の一部又は全部である第２の共有対象情報を、第１のディスプレイ１１に表示させてもよい。第２のディスプレイ１２が複数存在する場合、表示制御部１３は、第１のディスプレイ１１に代えて／又は加えて、発信元ディスプレイである第２のディスプレイ１２とは異なる第２のディスプレイ１２に第２の共有対象情報を表示させてもよい。第１のディスプレイ１１や他の第２のディスプレイ１２への第２の共有対象情報の表示に伴い、発信元ディスプレイである第２のディスプレイ１２における第２の共有対象情報の表示は終了（すなわち、非表示となる）してもよいし、そのまま維持されてもよい。
【００３７】
ここまでは、あるディスプレイに表示されている情報を他のディスプレイに送る一方通行のやりとりを説明したが、その他、あるディスプレイに表示されている情報と他のディスプレイに表示されている情報を交換する双方向のやりとりを行うことができてもよい。
【００３８】
すなわち、表示制御部１３は、所定条件を満たすと、第１のディスプレイ１１及び第２のディスプレイ１２を含む複数のディスプレイのうちの１つのディスプレイに表示させている情報の一部又は全部を他のディスプレイに表示させるとともに、他のディスプレイに表示させている情報の一部又は全部を上記１つのディスプレイに表示させてもよい。
【００３９】
次に、共有対象情報を他のディスプレイに表示させるトリガとなる「所定条件」について説明する。
【００４０】
所定条件は、ユーザによる指示入力を検出したこと、又は、自車が所定の状態になったことである。
【００４１】
ユーザによる指示入力は、例えば、第１の入力受付部１４又は第２の入力受付部１５を介してなされる。例えば、ユーザは、第１の入力受付部１４又は第２の入力受付部１５を介して、「あるディスプレイに表示させている情報の一部又は全部を他のディスプレイに表示させる指示入力」、又は、「あるディスプレイに表示させている情報の一部又は全部を他のディスプレイに表示させるとともに、他のディスプレイに表示させている情報の一部又は全部を上記あるディスプレイに表示させる指示入力」を行う。当該入力においては、あるディスプレイの指定、他のディスプレイの指定が含まれてもよい。
【００４２】
所定条件で規定される「自車の所定の状態」は、自動運転中、手動運転中、停車中、走行中、基準値以上の速度で走行中、及び、基準値未満の速度で走行中のうちの少なくとも１つを含む。
【００４３】
例えば、所定条件は、自車が自動運転中、停車中、及び、基準値未満の速度で走行中のうちの少なくとも１つの状態になったことであってもよい。そして、表示制御部１３は、当該所定条件を満たすと、第２のディスプレイ１２に表示させている情報の一部又は全部を第１のディスプレイ１１に表示させてもよい。そして、自車が手動運転中、走行中、及び、基準値以上の速度で走行中のうちの少なくとも１つの状態になると、第２のディスプレイ１２に表示させている情報の一部又は全部を第１のディスプレイ１１に表示させる処理を終了（すなわち、非表示となる）してもよい。
【００４４】
主として運転手以外のユーザにより視認される第２のディスプレイ１２には、テレビコンテンツ、Ｗｅｂコンテンツ、録画コンテンツ等の運転操作に直接関係しない娯楽コンテンツが表示される場合がある。従って、当該娯楽コンテンツは、自車が自動運転中、停車中、基準値未満の速度で走行中のような条件を満たす場合のみ運転席の前の第１のディスプレイ１１に表示する。これにより、運転手は、速度計等の運転に必要な情報の視認性を維持することができる。
【００４５】
その他、所定条件は、自車が手動運転中、走行中、及び、基準値以上の速度で走行中のうちの少なくとも１つの状態になったことであってもよい。そして、表示制御部１３は、当該所定条件を満たすと、第１のディスプレイ１１に表示させている情報の一部又は全部を第２のディスプレイ１２に表示させてもよい。この場合、表示制御部１３は、第１のディスプレイ１１における共有対象情報の表示を終了（すなわち、非表示となる）してもよい。
【００４６】
このようにすれば、自動運転中、停車中、及び、基準値未満の速度で走行中に第１のディスプレイ１１に表示させて運転手が処理していた内容（ナビゲーション画面における目的地の設定等）を、手動運転中、走行中、及び、基準値以上の速度で走行中に切り替わったことに応じて、第２のディスプレイ１２に表示させて、以降の処理を運転手以外のユーザに引き継ぐことができる。
【００４７】
次に、図５のフローチャートを用いて、本実施形態の車載システム１０の処理の流れの一例を説明する。
【００４８】
まず、表示制御部１３は、第１のディスプレイ１１、及び、１又は複数の第２のディスプレイ１２各々に所定の情報を表示させる（Ｓ１０）。以降、図示しないが、表示制御部１３は、各ディスプレイに対応した入力受付部（第１の入力受付部１４及び第２の入力受付部１５）を介したユーザ入力に応じて、各ディスプレイの表示を切り替える。そして、所定の条件を満たすと（Ｓ１１：Ｙｅｓ）、表示制御部１３は、あるディスプレイに表示させている情報を、他のディスプレイに表示させる（Ｓ１２）。
【００４９】
以上説明した本実施形態の車載システム１０によれば、車両に乗車している複数のユーザで共有する共有対象情報を、車両に設置された複数のディスプレイに表示することができる。
【００５０】
複数のユーザは、複数のディスプレイに表示されている情報を視認することで、当該情報を共有できる。なお、共有すべき情報は複数のディスプレイに表示されるので、各ユーザは、複数のディスプレイのうちの自分の乗車位置からの視認に適したものを視認すればよい。このため、複数のユーザは、快適かつ視認性が優れた状態で、ディスプレイに表示されている情報を共有できる。
【００５１】
また、本実施形態の車載システム１０によれば、自車の状態に応じて、共有対象情報の表示を制御できる。
【００５２】
例えば、自車が自動運転中、停車中、及び、基準値未満の速度で走行中のうちの少なくとも１つの状態になったことに応じて、第２のディスプレイ１２に表示させている情報の一部又は全部を第１のディスプレイ１１に表示させることができる。そして、自車が手動運転中、走行中、及び、基準値以上の速度で走行中のうちの少なくとも１つの状態になると、第２のディスプレイ１２に表示させている情報の一部又は全部を第１のディスプレイ１１に表示させる処理を終了（すなわち、非表示となる）することができる。
【００５３】
主として運転手以外のユーザにより視認される第２のディスプレイ１２には、テレビコンテンツ、Ｗｅｂコンテンツ、録画コンテンツ等の運転操作に直接関係しない娯楽コンテンツが表示される場合がある。従って、当該娯楽コンテンツは、自車が自動運転中、停車中、基準値未満の速度で走行中のような条件を満たす場合のみ運転席の前の第１のディスプレイ１１に表示し、運転手を含む複数のユーザで共有することができる。そして、自車が手動運転中、走行中、基準値以上の速度で走行中のような条件を満たすと、第１のディスプレイ１１におけるそれらの表示を終了することができる。これにより、運転手は、速度計等の運転に必要な情報の視認性を維持することができる。
【００５４】
その他、自車が手動運転中、走行中、及び、基準値以上の速度で走行中のうちの少なくとも１つの状態になったことに応じて、第１のディスプレイ１１に表示させている情報の一部又は全部を第２のディスプレイ１２に表示させることができる。この場合、第１のディスプレイ１１における共有対象情報の表示を終了（すなわち、非表示となる）してもよい。
【００５５】
このようにすれば、自動運転中、停車中、及び、基準値未満の速度で走行中に第１のディスプレイ１１に表示させて運転手が処理していた内容を、手動運転中、走行中、及び、基準値以上の速度で走行中に切り替わったことに応じて、第２のディスプレイ１２に表示させて、以降の処理を運転手以外のユーザに引き継ぐことができる。
【００５６】
＜第２の実施形態＞
本実施形態の車載システム１０は、表示制御部１３の構成が一部異なる点で、第１の実施形態の車載システム１０と異なる。その他の構成（その他の機能部の構成やハードウエア構成）は、第１の実施形態の車載システム１０と同様である。
【００５７】
表示制御部１３は、自車が自動運転中、停車中、及び、基準値未満の速度で走行中のうちの少なくとも１つの状態になっている間のみ、第２のディスプレイ１２に表示させている情報の一部又は全部を第１のディスプレイ１１に表示させる。
【００５８】
すなわち、自車が自動運転中、停車中、及び、基準値未満の速度で走行中のうちの少なくとも１つの状態になっていない間に、第１の実施形態で説明した所定条件（ユーザによる指示入力の検出等）を満たしても、表示制御部１３は、第２のディスプレイ１２に表示させている情報の一部又は全部を第１のディスプレイ１１に表示させる処理を実行しない。表示制御部１３のその他の構成は、第１の実施形態と同様である。
【００５９】
本実施形態の車載システム１０によれば、第１の実施形態と同様の作用効果を実現できる。また、本実施形態の車載システム１０によれば、手動運転中、走行中、基準値以上の速度で走行中等に、第１のディスプレイ１１に表示されている速度計等の運転に必要な情報の視認性が低下することを防ぐことができる。
【００６０】
＜第３の実施形態＞
本実施形態の車載システム１０は、表示制御部１３の構成が一部異なる点で、第１及び第２の実施形態と一部異なる。その他の構成（その他の機能部の構成やハードウエア構成）は、第１及び第２の実施形態の車載システム１０と同様である。
【００６１】
表示制御部１３は、自車の状態を示す状態情報（速度、エンジンの回転数、ガソリン残量、電池残量等）を第１のディスプレイ１１に表示させる。そして、表示制御部１３は、第２のディスプレイ１２に表示させている情報の一部又は全部である第２の共有対象情報を第１のディスプレイ１１に表示させる際、状態情報と第２の共有対象情報とを並べて表示させる。すなわち、第２の共有対象情報を第１のディスプレイ１１に表示させる場合であっても、第１のディスプレイ１１における状態情報の表示を継続する。表示制御部１３のその他の構成は、第１及び第２の実施形態と同様である。
【００６２】
図６乃至図８を用いて一例を説明する。図６に示す状態では、表示制御部１３は、第１のディスプレイ１１全体を状態情報表示エリア１１１としている。状態情報表示エリア１１１は、状態情報を表示するエリアである。
【００６３】
そして、第２の共有対象情報を第１のディスプレイ１１に表示させる場合、表示制御部１３は、例えば図７に示すように、第１のディスプレイ１１の表示エリアに状態情報表示エリア１１１と任意情報表示エリア１１２とを設ける。状態情報表示エリア１１１と任意情報表示エリア１１２とは並べて設けられる。任意情報表示エリア１１２は、任意の情報を表示するエリアであり、例えば第２の共有対象情報が当該エリアに表示される。
【００６４】
その他、第２の共有対象情報を第１のディスプレイ１１に表示させる際、表示制御部１３は、例えば図８に示すように、第１のディスプレイ１１の表示エリアに状態情報表示エリア１１１と、複数の任意情報表示エリア１１２−１及び１１２−２とを設けてもよい。状態情報表示エリア１１１と、複数の任意情報表示エリア１１２−１及び１１２−２とは並べて設けられる。任意情報表示エリア１１２−１及び１１２−２各々には、例えば、異なる第２のディスプレイ１２各々に表示されている第２の共有対象情報が表示されてもよい。
【００６５】
なお、状態情報表示エリア１１１と任意情報表示エリア１１２の並べ方や、各エリアの大きさの比率、任意情報表示エリア１１２の数等は設計的事項であり、図示するものに限定されない。
【００６６】
本実施形態の車載システム１０によれば、第１及び第２の実施形態と同様の作用効果を実現できる。また、本実施形態の車載システム１０によれば、第２の共有対象情報を第１のディスプレイ１１に表示させる場合においても、状態情報を常時第１のディスプレイ１１に表示させることができる。
【００６７】
＜第４の実施形態＞
本実施形態の車載システム１０は、表示制御部１３、第１の入力受付部１４及び第２の入力受付部１５の構成が一部異なる点で、第１乃至第３の実施形態と一部異なる。その他の構成（その他の機能部の構成やハードウエア構成）は、第１乃至第３の実施形態の車載システム１０と同様である。
【００６８】
本実施形態の車載システム１０は、１のディスプレイに表示させている情報のうちのユーザにより指定された一部又は全部を、他のディスプレイに表示させる。
【００６９】
第１の入力受付部１４又は第２の入力受付部１５は、第１のディスプレイ１１又は第２のディスプレイ１２に表示されている情報のうちの一部又は全部を指定する入力を受付ける。そして、表示制御部１３は、あるディスプレイに表示させている情報のうちのユーザにより指定された一部又は全部を、他のディスプレイに表示させる。表示制御部１３、第１の入力受付部１４及び第２の入力受付部１５のその他の構成は、第１乃至第３の実施形態と同様である。
【００７０】
図７や図８に示す例のように、第１のディスプレイ１１の表示領域を論理的に複数のエリアに分け、複数のエリア各々に各種情報を表示している場合、第１の入力受付部１４は、当該複数のエリアのうちの一部を指定する入力を受付けてもよい。そして、表示制御部１３は、指定されたエリアに表示されている情報を、他のディスプレイに表示してもよい。
【００７１】
なお、図示しないが、第２のディスプレイ１２も同様に、表示領域を論理的に複数のエリアに分け、複数のエリア各々に各種情報を表示してもよい。第２の入力受付部１５は、当該複数のエリアのうちの一部を指定する入力を受付けてもよい。そして、表示制御部１３は、指定されたエリアに表示されている情報を、他のディスプレイに表示してもよい。
【００７２】
その他、第１の入力受付部１４又は第２の入力受付部１５は、第１のディスプレイ１１又は第２のディスプレイ１２の表示領域における一部領域を指定する入力を受付けてもよい。例えば、ユーザは、ディスプレイ上のカーソル位置を移動させたり、タッチパネルディスプレイ上でタッチ位置をスライドさせたりすることで、領域の境界線を入力してもよい。そして、第１の入力受付部１４又は第２の入力受付部１５は、当該境界線で明示された領域の指定を受付けてもよい。この場合、表示制御部１３は、指定された領域に表示されている画像をキャプチャして画像ファイルを生成し、他のディスプレイに表示してもよい。
【００７３】
本実施形態の車載システム１０によれば、第１乃至第３の実施形態と同様の作用効果を実現できる。また、本実施形態の車載システム１０によれば、第１のディスプレイ１１又は第２のディスプレイ１２に表示されている情報のうちの情報のみを、他のディスプレイに表示させることができる。結果、共有する情報を絞り込んで他のディスプレイに表示させることができるので、複数のユーザは共有したい内容をより容易に把握できる。
【００７４】
＜第５の実施形態＞
本実施形態の車載システム１０は、あるディスプレイに表示させていた共有対象情報を他のディスプレイに表示させる際、あるディスプレイに表示させていた共有対象情報を編集し、編集後の共有対象情報を他のディスプレイに表示させることができる点で第１乃至第４の実施形態と異なる。
【００７５】
図９に、本実施形態の車載システム１０の機能ブロック図の一例を示す。図示する様に、車載システム１０は、第１のディスプレイ１１と、第２のディスプレイ１２と、表示制御部１３と、編集部１６とを有する。図示しないが、車載システム１０は、さらに第１の入力受付部１４及び第２の入力受付部１５を有してもよい。
【００７６】
第１のディスプレイ１１、第２のディスプレイ１２、第１の入力受付部１４及び第２の入力受付部１５の構成は、第１乃至第４の実施形態と同様である。また、本実施形態の車載システム１０のハードウエア構成は、第１乃至第４の実施形態と同様である。
【００７７】
編集部１６は、あるディスプレイに表示させている情報の一部又は全部である共有対象情報を、他のディスプレイ用に編集して編集後情報を生成する。
【００７８】
例えば、共有対象情報が地図である場合、地図の向きが編集前後で異なってもよい。具体的には、第１のディスプレイ１１では進行方向を上にして地図を表示し、第２のディスプレイ１２では北を上にして地図を表示してもよい。
【００７９】
その他、共有対象情報が地図である場合、地図にマッピングされる情報が編集前後で異なってもよい。例えば、第１のディスプレイ１１に表示される地図には、道案内時に重要なランドマーク（右左折ポイントの建物、交差点の名称等）、及び、道案内時に特に重要でないその他の周辺施設をマッピングし、第２のディスプレイ１２に表示される地図には、上記ランドマークをマッピングせず、上記その他の周辺施設のみをマッピングしてもよい。また、編集前後やディスプレイに応じて、表示する解像度が異なってもよい。
【００８０】
本実施形態の車載システム１０によれば、第１乃至第４の実施形態と同様の作用効果を実現できる。また、本実施形態の車載システム１０によれば、あるディスプレイに表示されている情報をそのまま他のディスプレイに表示するのでなく、各ディスプレイを視認するユーザにとって好ましい態様（例えば、表示する共有対象情報の選択、表示する共有対象情報の言語、表示する共有対象情報の色や形状、表示する共有対象情報の文字の大きさ等）に編集、又は、各ディスプレイの設置位置に応じた共有対象情報の文字の大きさ・色・形状・レイアウト変更等の編集を行い、表示することも可能である。
【００８１】
例えば、地図の向きを変えたり、表示する情報の解像度を変えたりすることで、共有対象情報を、運転手及びその他のユーザ各々向けに最適化できる。
【００８２】
＜第６の実施形態＞
本実施形態の車載システム１０は、表示制御部１３の構成が一部異なる点で、第１乃至第５の実施形態の車載システム１０と異なる。その他の構成（その他の機能部の構成やハードウエア構成）は、第１乃至第５の実施形態の車載システム１０と同様である。
【００８３】
表示制御部１３は、共通の情報（共有対象情報）を発信元ディスプレイ及び発信先ディスプレイに表示させており、かつ、共通の情報の表示範囲が発信元ディスプレイ及び発信先ディスプレイにおいて互いに異なる場合、発信元ディスプレイ及び発信先ディスプレイの少なくとも一方に、他方のディスプレイに表示させている情報の表示範囲を表示する。表示制御部１３のその他の構成は、第１乃至第５の実施形態と同様である。
【００８４】
図１０及び図１１を用いて具体例を説明する。図１０は第１のディスプレイ１１を示す。第１のディスプレイ１１の表示領域は、状態情報表示エリア１１１及び任意情報表示エリア１１２に分けられている。そして、任意情報表示エリア１１２には地図が表示されている。
【００８５】
図１１は第２のディスプレイ１２を示す。第２のディスプレイ１２には、第１のディスプレイ１１の任意情報表示エリア１１２に表示されている地図と同じ地図が表示されている。しかし、第１のディスプレイ１１及び第２のディスプレイ１２における地図の表示範囲は互いに異なる。具体的には、第２のディスプレイ１２の方がより広域を表示している。
【００８６】
このような第２のディスプレイ１２には、フレームＦで、第１のディスプレイ１１における地図の表示範囲が明示されている。
【００８７】
本実施形態の車載システム１０によれば、第１乃至第５の実施形態と同様の作用効果を実現できる。また、本実施形態の車載システム１０によれば、共有対象情報の表示範囲が発信元ディスプレイ及び発信先ディスプレイで異なる場合、少なくとも一方に、他方のディスプレイに表示させている情報の表示範囲を表示することができる。ユーザは、自分は視認しているが、相手は視認できてない情報を把握できる。結果、情報の共有がよりスムーズに実現できる。
【００８８】
＜第７の実施形態＞
本実施形態の車載システム１０は、表示制御部１３の構成が一部異なる点で、第１乃至第６の実施形態の車載システム１０と異なる。その他の構成（その他の機能部の構成やハードウエア構成）は、第１乃至第６の実施形態の車載システム１０と同様である。
【００８９】
表示制御部１３は、共通の情報（共有対象情報）を発信元ディスプレイ及び発信先ディスプレイに表示させている状態で、第１の入力受付部１４又は第２の入力受付部１５が第１のディスプレイ１１又は第２のディスプレイ１２において共有対象情報の一部を指定するユーザ入力を受付けた場合、指定された一部の情報を他方のディスプレイで表示する。表示制御部１３のその他の構成は、第１乃至第６の実施形態と同様である。
【００９０】
図１２及び図１３を用いて具体例を説明する。図１２は第２のディスプレイ１２を示す。第２のディスプレイ１２には地図が表示されている。図１３は第１のディスプレイ１１を示す。第１のディスプレイ１１の任意情報表示エリア１１２には、第２のディスプレイ１２に表示されている地図と同じ地図が表示されている。
【００９１】
図１２に示すように、第２の入力受付部１５は、第２のディスプレイ１２において地図上の一点をタッチする操作を受付けたとする。すると、表示制御部１３は、図１３に示すように、第１のディスプレイ１１においてマークＭを表示し、第２のディスプレイ１２において指定された地図上の位置を表示する。
【００９２】
本実施形態の車載システム１０によれば、第１乃至第６の実施形態と同様の作用効果を実現できる。また、本実施形態の車載システム１０によれば、複数のユーザは、共有対象情報をより効果的に共有することができる。
【００９３】
以上、図面を参照して実施形態及び実施例について述べたが、これらは本発明の例示であり、上記以外の様々な構成を採用することもできる。
【符号の説明】
【００９４】
１Ａ    プロセッサ
２Ａ    メモリ
３Ａ    入出力Ｉ／Ｆ
４Ａ    周辺回路
５Ａ    バス
１１    第１のディスプレイ
１２    第２のディスプレイ
１２−１    第２のディスプレイ
１２−２    第２のディスプレイ
１３    表示制御部
１４    第１の入力受付部
１５    第２の入力受付部
１６    編集部
１１１    状態情報表示エリア
１１２    任意情報表示エリア
【図１】
2018200200.tif 000003
【図２】
2018200200.tif 000004
【図３】
2018200200.tif 000005
【図４】
2018200200.tif 000006
【図５】
2018200200.tif 000007
【図６】
2018200200.tif 000008
【図７】
2018200200.tif 000009
【図８】
2018200200.tif 000010
【図９】
2018200200.tif 000011
【図１０】
2018200200.tif 000012
【図１１】
2018200200.tif 000013
【図１２】
2018200200.tif 000014
【図１３】
2018200200.tif 000015